(57)【要約】      （修正有）【課題】互いに対向する忍返し、仮柵等の本体のそれぞれの傾斜部にとりつけられ、かつ水平方向に回転可能に軸支される接続金具、および該金具を用いた忍返しの取付構造を提供する。【解決手段】互いに対向する忍返し、仮柵等の本体のそれぞれの傾斜部に固定部がとりつけられ、かつ該固定部から延設されている連結部同志が水平方向に回転可能に軸支される接続金具、および該金具を用いた忍返しの取付構造。【選択図】図４
0003133991.tif 000002
【実用新案登録請求の範囲】
【請求項１】
互いに対向して立設する本体部材の起立傾斜部にそれぞれとりつけられる所定の傾斜角をもった板状の固定部と、該固定部の一端側から延設されている水平連結部と、該水平連結部同志を所定角度に変位可能に軸支している垂直回転軸で構成されていることを特徴とする接続金具。
【請求項２】
塀の隅角部の天板に互いに対向して立設するそれぞれの忍返しの起立傾斜部には、所定の傾斜角をもった板状の固定部と、該固定部の一端側から延設されている水平連結部と、該水平連結部同志を所定角度に変位可能に軸支している垂直回転軸で構成されている接続金具の上記固定部を止具を介してとりつけることを特徴とする忍返しの取付構造。
【考案の詳細な説明】
【技術分野】
【０００１】本考案は接続金具および該接続金具を用いた忍返しの取付構造、ことにコンクリート塀、ブロック塀、ネットフエンス、メッシュフエンス、板塀等の塀（以下塀という）の入隅、出隅など隅角部における忍返しの取付構造に関する。
【背景技術】
【０００２】従来コンクリート塀、ブロック塀、ネットフエンス、メッシュフエンス、その他塀の上面に、つまり天板や胴縁に直に、あるいは笠木をとりつけ、その上面（以下上記塀の上面を天板と言う）に忍返しを立設する構造は公知である。
【考案の開示】
【考案が解決しようとする課題】
【０００３】上記従来の忍返しは、塀の天板にとりつけるには天板の直線上においては所定長さの忍返しを順次近接して並べ、アンカーボルト等の止具、その他金具等の固定手段を介して天板に固定している。ところが入隅、出隅等隅角部においては、その角部に対向する忍返し同志は互いに近接する事なく、その間が大きな空隙になっていた。
そのために塀全体における忍返しの取付状態において意匠感を損ない、防犯面において好ましいとは言えず、さらにまた悪質侵入者や猫など動物の進入路となり、忍返しによる遮蔽効果が薄れていた。
本考案は上記問題点を解決したものである。
【課題を解決するための手段】
【０００４】本考案はつぎの特徴を備えている。
その一つは「互いに対向して立設する本体部材（たとえば忍返し、仮柵等）の起立傾斜部にそれぞれとりつけられる所定の傾斜角をもった板状の固定部と、該固定部の一端側から延設されている水平連結部と、該水平連結部同志を所定角度に変位可能に軸支している垂直回転軸で構成されていることを特徴とする接続金具」である。【０００５】その二つは「塀の隅角部の天板に互いに対向して立設するそれぞれの忍返しの起立傾斜部には、所定の傾斜角をもった板状の固定部と、該固定部の一端側から延設されている水平連結部と、該水平連結部同志を所定角度に変位可能に軸支している垂直回転軸で構成されている接続金具の上記固定部を止具を介してとりつけることを特徴とする忍返しの取付構造」である。
【考案の効果】
【０００６】本考案の接続金具は、所定の傾斜角をもった板状の固定部が互いに対向する本体部材、たとえば忍返し、仮柵等の起立傾斜部に取り付けられた状態で、水平連結部同志が回転軸を介して連結されるので、所定の角度に対応した角度調整が可能であり、本体部材がたとえば忍返し、工事用の仮柵であれば、所定の隅角部の角度に対応した角度をもって形成され、立付けがよい。【０００７】本考案の接続金具を用いた忍返しの取付構造においては、塀の入隅、出隅等隅角部に対向する忍返しの起立傾斜部にそれぞれとりつけられる所定の傾斜角をもった板状の固定部がとりつけられて、両忍返しは連結され、かつ該金具の水平連結部同志を回転軸を介して所定角度に保持して連結しているので、隅角部は一体的に連結されており、空隙ができることがなく意匠感を整えており、さらに悪質侵入者や猫など動物の進入路となることもない。
【考案を実施するための最良の形態】
【０００８】本考案の実施形態を図面を用いて以下に説明する。
図１は本考案の接続金具および該金具を用いた忍返しの取付構造の一実施例を示す説明用の斜視図である。
１は上記各種塀図示はコンクリート塀の隅角部で、出隅を示す。該塀の隅角部の天板１ａには互いに対向して立設する本体部材２、ここでは忍返し２が止具、金具等の固定手段を介して立設される。忍返し２は、先端部に外方向に向く剣先部２ａを、下端部に室内側に折曲げ天板に支持される支持部２ｅを、その間に下端部が外側に位置して所定長さ立直し、その先端から上端部が内側方向に傾斜した起立傾斜部２ｂを形成している剣先部材の所要数を所定間隔をもって配し、該剣先部材の起立傾斜部にビス、ボルトなどの止具の螺子部の挿通間隔をもって上下一対の連結棒材２ｃ、２ｃをスポット溶接で連結して形成されている。【０００９】さらに該剣先部材の支持部を２本の連結材２ｄでスポット溶接で連結している。
この実施例は剣先部材の下端部を内側に屈曲して支持部２ｅとし、２本の連結材で連結しているが、隅角部に近接の剣先部材については支持部を欠除している。
本考案の忍返しは上記の構成で形成される。しかして塀の天板に長手方向に沿って止具、金具などの固定手段を介して立設される。上記天板は塀の天板直に、または笠木の天板であってもよい。【００１０】塀の隅角部に対向するそれぞれの忍返しは、隅角部側の連結棒材２ｃ、２ｃにとりつけられる接続金具３を介して一体的に連結している。接続金具の詳細な構成は後述する。【００１１】図２は接続金具の一実施例を示す平面図、図３は正面図である。
接続金具３は互いに対向して立設する本体部材の起立傾斜部にそれぞれとりつけられる所定の傾斜角をもった固定部３ａ、３ａと、該固定部の一端側から屈曲して延設されている水平連結部３ｂ、３ｂと、該水平連結部同志を所定角度に変位可能に軸支している垂直回転軸３ｃのかしめ止で構成している。３ａ１はビス、ボルト等の螺孔である。【００１２】図４は図２、図３に示す本考案接続金具を、本体部材である忍返しの剣先部材の起立傾斜部に、該金具の固定部をビス、ボルト等の止具４で螺着して固定している取付構造の要部を示す正面展開図で、塀の隅角部に立設される忍返しの取付構造を示す。図５は図４の右側面図である。
隅角部において互いに対向する忍返し２、２はそれぞれ４本の剣先部材を、その起立傾斜部２ｂにおいて止具の螺子部の挿通間隔をもって、上下一対の連結棒材２ｃ、２ｃをスポット溶接等で連結している。この状態で上下の連結棒材は傾斜状態で取り付けられることは論ずるまでもない。この対向する忍返しのそれぞれ上下一対の連結棒材２ｃ，２ｃに、接続金具の固定部が当てつけられてとりつけられ、接続金具３を介して忍返しが一体的に連結している。
詳述すれば図示のように接続金具の固定部３ａは上下一対の連結棒材に、その外側に当てられて、止具４を螺孔３ａ１に螺着されてとりつけられる。しかしてその状態で水平連結部３ｂ同志が垂直回転軸３ｃを介して水平方向に変位可能に軸支される。【００１３】接続金具３は固定部３ａを上下一対の連結棒材２ｃ、２ｃに当接してビス、ボルト等の止具４で螺着して固定し、該固定部の一端側から延設されている水平連結部３ｂ、３ｂ同志を所定角度変位可能に垂直回転軸３ｃで軸支し、かしめ止している。
又接続金具３は固定部３ａを連結棒材の下側の位置で剣先部材の起立傾斜部に直に当てて、反対側に止め金具を用いてとりつけることもできる。
なお、剣先部材は隅角部に近接の１本の剣先部材を除く他の剣先部材の下端部を内側に屈曲して支持部２ｅを形成している。さらに支持部同志を２本の連結材２ｄ、２ｄで連結している。隅角部に近接の剣先部材は支持部を欠除している。【００１４】図６は図４に示す隅角部における忍返しの取付構造の実施態様を示す平面図である。
塀１の隅角部は鋭角の出隅であり、隅角部に対向するそれぞれの忍返し２、２が所定角度に変位した接続金具３を介して一体的に連結され、天板１ａに立設されている。
忍返し２、２の隅角部に近接の剣先部材は図示より明らかなよう支持部を欠除しているので、鋭角のあるいは直角の出隅であっても支持部が交差しないので忍返しの立設に支障がない。【００１５】図７、図８は本考案の他の実施例を示し、本体部材は忍返しで、略正面図、右側面図である。本物品はアルミ材等金属板材を成型加工して形成している。
５は忍返し、５ａは剣先部、５ｂは起立傾斜部、５ｃは支持部である。６はアンカーボルトである。図示のとおり起立傾斜部５ｂ，５ｂに接続金具３の固定部３ａ、３ａがビス、ボルト等の止具４で螺着されている。
以上本考案の実施例について説明したが、本考案の技術思想を逸脱しない限りの設計変更は可能である。
【図面の簡単な説明】
【００１６】
【図１】本考案の接続金具および該金具を用いた忍返しの取付構造の一実施例を示す説明用の斜視図。
【図２】本考案接続金具の一実施例を示す平面図。
【図３】図２に示す接続金具の正面図。
【図４】図２、図３に示す本考案接続金具を本体部材である忍返しにとりつけた取付構造の要部を示す正面展開図。
【図５】図４の右側面図。
【図６】図４に示す本考案忍返しの取付構造の実施態様に示す平面図。
【図７】本考案の他の実施例を示す忍返しの略正面図。
【図８】図７の右側面図ある。
【符号の説明】
【００１７】１    塀の隅角部
１ａ  天板
２    忍返し
２ａ  剣先部
２ｂ  起立傾斜部
２ｃ  連結棒材
２ｄ  連結材
２ｅ  支持部
３    接続金具
３ａ  固定部
３ａ１螺孔
３ｂ  水平連結部
３ｃ  垂直回転軸
４    止具
５    忍返し
５ａ  剣先部
５ｂ  起立傾斜部
５ｃ  支持部
６    止具
【図１】
0003133991.tif 000003
【図２】
0003133991.tif 000004
【図３】
0003133991.tif 000005
【図４】
0003133991.tif 000006
【図５】
0003133991.tif 000007
【図６】
0003133991.tif 000008
【図７】
0003133991.tif 000009
【図８】
0003133991.tif 000010